(57)【要約】【課題】  遊技島に容易に設置するとともに、排出口にて不具合が生じても容易、且つ、迅速に不具合を解消することが可能なメダル貸出機を提供する。【解決手段】  メダル貸出機の外部背面に外側から設置した排出シュートの内部には、メダル計数装置から排出されるメダルを排出管へ案内するメダル規制部材と、排出管近傍に備えた排出口センサが、設けられ、メダル規制部材と、排出口センサと、は、排出シュートがメダル貸出機の外部背面に外側から設置した状態で、メダル貸出機の内側から夫々着脱可能とした。【選択図】      図２２
2014188003.tif 000002
【特許請求の範囲】
【請求項１】
遊技台に隣設し、所定枚数のメダルを払い出すメダル貸出機において、
前記メダル貸出機には、
メダルを払い出すメダル払出装置と、
前記メダル貸出機の前面側に備えた、前記メダル払出装置から払い出されるメダルを供給シュートによって遊技台へ供給するメダル供給部と、
前記メダル供給部の上端に備えた 、遊技によって獲得したメダルを投入する投入口と、
前記投入口に投入されたメダルを計数するメダル計数装置と、
前記メダル貸出機の外部背面に外側から設置した、前記メダル計数装置で計数されたメダルを前記メダル貸出機の外部へ排出する排出シュートと、から構成され、
前記排出シュートの内部には、
前記メダル計数装置から排出されるメダルを排出管へ案内するメダル規制部材と、
前記排出管近傍に備えた排出口センサが、設けられ、
前記メダル規制部材と、前記排出口センサと、は、
前記排出シュートが前記メダル貸出機の外部背面に外側から設置した状態で、
前記メダル貸出機の内側から夫々着脱可能としたことを特徴とするメダル貸出機。
【請求項２】
前記メダル規制部材は、
前記排出シュートの内部に形成された溝に沿って湾曲状に配置され、
前記メダル計数装置から水平姿勢で排出されるメダルを、
該メダル規制部材との衝突によって垂直姿勢へと姿勢変換させることを特徴とする請求項１記載のメダル貸出機。
【発明の詳細な説明】
【技術分野】
【０００１】
本発明は、遊技台に隣設し、貨幣類の投入によって所定枚数のメダルを貸し出すメダル貸出機に関する。
【背景技術】
【０００２】
従来、遊技店（パチンコ店、スロット店等）においては、遊技台（パチンコ台、スロットマシン等）を横方向直線的に配列し、遊技台一台毎に遊技客の遊技媒体（パチンコ玉、メダル等）を供給する遊技媒体貸出機であるメダル貸出機が連列している。前記メダル貸出機は、内部にメダル払出装置を備え、遊技客が該メダル貸出機の上部に位置する貨幣識別機に貨幣を挿入し、前記貨幣識別機にて挿入された貨幣の真偽を識別して、正規の貨幣と判断された場合に前記メダル払出装置より所定枚数のメダルを払い出す。なお、遊技客が遊技で獲得した多数枚のメダルは、玉箱へ入れて遊技島端に設置されたメダル計数装置にて獲得枚数を計数する。
【０００３】
また、昨今の遊技店には、遊技客が獲得した多数枚のメダルを計数するために遊技島端のメダル計数装置へ玉箱にいれた多数枚のメダルを運ぶ、といった煩わしさを解消し、且つ、利便性の向上を図るため、遊技客が獲得したメダルを投入する投入口と、該投入口に投入されたメダルの枚数を計数するメダル計数装置と、を備えたメダル貸出機が提案されている。（例えば、特許文献１参照）。
【先行技術文献】
【特許文献】
【０００４】
【特許文献１】特開２０１２−１３０６４９
【発明の概要】
【発明が解決しようとする課題】
【０００５】
しかしながら、特許文献１で開示した遊技媒体貸出装置は、該遊技媒体貸出装置の計数ホッパの底面部に設けられた排出口から筐体の排出口を介して搬送コンベアに排出されるとし、遊技島において遊技媒体貸出装置を載置する箇所に、排出口等、他の排出備品を取り付けるために遊技島の加工する必要があり、該遊技媒体貸出装置を短時間で容易に設置することができなかった。また、筐体の排出口で故障などといった不具合が生じた場合、遊技島から該遊技媒体貸出装置を取り外す必要があり、容易、且つ、迅速に不具合を解消することができなかった。
【０００６】
本発明は上記問題を鑑みて、遊技島に容易に設置するとともに、排出口にて不具合が生じても容易、且つ、迅速に不具合を解消することが可能なメダル貸出機を提供することを目的とする。
【課題を解決するための手段】
【０００７】
上記の問題を解決するために、本発明の請求項１は、遊技台に隣設し、所定枚数のメダルを払い出すメダル貸出機において、メダル貸出機には、メダルを払い出すメダル払出装置と、メダル貸出機の前面側に備えた、メダル払出装置から払い出されるメダルを供給シュートによって遊技台へ供給するメダル供給部と、メダル供給部の上端に備えた、遊技によって獲得したメダルを投入する投入口と、投入口に投入されたメダルを計数するメダル計数装置と、メダル貸出機の外部背面に外側から設置した、メダル計数装置で計数されたメダルをメダル貸出機の外部へ排出する排出シュートと、から構成され、排出シュートの内部には、メダル計数装置から排出されるメダルを排出管へ案内するメダル規制部材と、排出管近傍に備えた排出口センサが、設けられ、メダル規制部材と、排出口センサと、は、排出シュートがメダル貸出機の外部背面に外側から設置した状態で、メダル貸出機の内側から夫々着脱可能としたことを特徴とする。
【０００８】
本発明の請求項２は、請求項1記載のメダル貸出機において、メダル規制部材は、排出シュートの内部に形成された溝に沿って湾曲状に配置され、メダル計数装置から水平姿勢で排出されるメダルを、該メダル規制部材との衝突によって垂直姿勢へと姿勢変換させることを特徴とする。
【発明の効果】
【０００９】
本発明によれば、メダル計数装置で計数されたメダルをメダル貸出機の外部へ排出する排出シュートをメダル貸出機の外部背面に外側から設置したことで、メダル貸出機を遊技島に設置する際、遊技島のメダル貸出機を載置する箇所の底面に、メダルの排出穴を開けたり、他の排出備品を取り付けたり、といった遊技島の加工を行うことが無く、該メダル貸出機を容易に設置することが可能となる。
【００１０】
また、メダル規制部材と、排出口センサと、を排出シュートがメダル貸出機の外部背面に外側から設置した状態で、メダル貸出機の内側から夫々着脱可能としたことで、メダル規制部材、及び排出口センサの故障、メンテナンスから生じる交換作業において、メダル貸出機を遊技島より取り外すことなく、容易、且つ、迅速に交換作業を行うことができる。
【００１１】
また、メダル規制部材は、排出シュートの内部に形成された溝に沿って湾曲状に配置され、メダル計数装置から水平姿勢で排出されるメダルを、該メダル規制部材との衝突によって垂直姿勢へと姿勢変換させることで、排出シュートは、メダル計数装置より勢いよく排出されるメダルとの衝突による破損を防止する。さらに、水平姿勢で排出されるメダルを垂直姿勢へと姿勢変換させて排出管へ落下させることで、排出管近傍に備えた排出口センサが排出されるメダルの側面で検知することが可能であり、メダルの通過を容易に検出可能で、且つ、排出口センサで落下するメダルを一枚毎検出もすることが可能となる。
【図面の簡単な説明】
【００１２】
【図１】メダル貸出機を示す外観斜視図である。
【図２】メダル貸出機のメダル供給部周辺を示す部分拡大図であり、（ａ）は投入口蓋を開いた状態を示す部分拡大斜視図であり、（ｂ）は投入口を上方へ回動させた状態を示す部分拡大斜視図である。
【図３】メダル貸出機の投入口周辺を示す部分拡大図であり、（ａ）は投入口蓋と投入口と、を閉じた通常状態を示す部分拡大側面図であり、（ｂ）は投入口蓋を開けて、投入口を上方向へ回動させて後退した退避状態を示す部分拡大側面図である。
【図４】メダル貸出機の投入口を上方向へ回動させて後退した退避状態を示す作用図である。
【図５】メダル貸出機の内部を示す外観斜視図である。
【図６】メダル貸出機の内部を示す外観斜視図であり、メダル計数装置とメダル払出装置を取り外した状態を示す図である。
【図７】メダル払出装置を示す外観斜視図である。
【図８】メダル払出装置の詳細を示す図であり、（ａ）は平面図、（ｂ）は側面図、（ｃ）は底面図である。
【図９】メダル貸出機の内部を示す側面図であり、払い出すメダルの経路を示す図である。
【図１０】メダル計数装置を示す外観斜視図である。
【図１１】メダル計数装置を示す外観斜視図である。
【図１２】メダル計数装置のメダル流下シュートと、送出メダルタンクを取り外した状態を示す図である。
【図１３】メダル流下シュートと送出メダルタンクの内部を示すメダル計数装置の外観斜視図である。
【図１４】メダル送出部の詳細を示す部分拡大断面図である。図１４（ａ）はメダル送出部の平面から見た部分拡大断面図であり、（ｂ）は側面から見た部分拡大断面図である。
【図１５】メダル計数装置の平面図を示す図である。
【図１６】メダル選別部の詳細を示す図であり、（ａ）は、メダル選別部の部分拡大平面図であり、（ｂ）は（ａ）のＡ−Ａ断面図である。
【図１７】メダル計数装置の側面図を示す図である。
【図１８】メダル計数装置のメダル選別構造を示す図であり、（ａ）は正規のメダルが搬送される際のメダル選別部の部分拡大平面図であり、（ｂ）は（ａ）のＢ−Ｂ断面図であり、（ｃ）は異径のメダルが搬送される際のメダル選別部の部分拡大平面図であり、（ｄ）は（ｃ）のＣ−Ｃ断面図である。
【図１９】返却樋の詳細を示す図であり。（ａ）は返却樋の側面図であり、（ｂ）は（ａ）のＤ−Ｄ断面図を示す図である。
【図２０】メダル貸出機の内部を示す側面図であり、計数するメダルの経路を示す図である。
【図２１】メダル貸出機の排出シュート周辺の部分拡大断面図を示す図である。
【図２２】メダル貸出機の排出シュートの構成を示す分解斜視図を示す図である。
【発明を実施するための形態】
【００１３】
以下、本発明の実施例について図面を参照しながら説明する。
【００１４】
図１は本発明であるメダル貸出機１の外観斜視図である。
メダル貸出機１は、遊技店（パチンコ店、スロット店等）において、遊技島に設置されたスロットマシン等の遊技台一台毎に隣設され、遊技客による貨幣類の投入により遊技媒体であるメダルＭを貸し出す装置である。
【００１５】
該メダル貸出機１は、前面側を開口した縦長箱状の本体枠３と、前記本体枠３の前面側上部に位置し、メダル貸出機１の状態、サーバ等の外部機器との通信状況の状態などを発光、点滅等で表示する状態表示ランプ５ａを備えた上部パネル５と、前記本体枠３と前面側より着脱可能な制御装置７と、メダルＭを補給する際に開閉する補給パネル９と、前記本体枠３の前面側下方に位置し、前記補給パネル９と蝶板にてネジ止めされ、前記本体枠３と着脱自在の構成からなる供給部パネル１１と、から構成されている。
【００１６】
上部パネル５は、本体枠３の内部上方に備えた紙幣識別収納装置１３（図５参照）の前面側に位置し、該紙幣識別収納装置１３の紙幣挿入口１３ａが上部パネル５の開口部より前面側へ延出する。メダル貸出機１は、前記紙幣識別収納装置１３の前記紙幣挿入口１３ａに遊技客より挿入される貨幣の真偽を識別し、挿入された貨幣が正規と判断された場合は、後述するメダル払出装置３１より所定枚数のメダルＭを遊技台１０１の受皿１０１ｂに払い出すとともに、挿入された正規の貨幣を紙幣識別収納装置１３の内部へ収納する。
【００１７】
制御装置７は、本体枠３の前面側より着脱可能であり、メダル貸出機１の状態、サーバ等の外部機器との通信状況の状態などを発光、点滅等で表示する状態表示ランプ７ａと、メダル貸出機１に関する情報等の表示を行うと共に、遊技客が操作可能な液晶操作部７ｂと、遊技客が操作する各種操作ボタン７ｃと、遊技客がＩＣカード、ＩＣコイン等の記憶媒体を挿入する、ＩＣカード挿入口７ｄと、ＩＣコイン投入口７ｅと、ＩＣコイン返却口７ｆと、が設けられている。
【００１８】
前記ＩＣカード挿入口７ｄ、及び前記ＩＣコイン投入口７ｅに記憶媒体が投入されると、該記憶媒体に記憶されている金額、遊技媒体数等のデータが液晶操作部７ｂに情報表示され、遊技客が該液晶操作部７ｂへの入力や、夫々の操作ボタン７ｃを操作することで、記憶されている金額、又は、遊技媒体数からメダルＭを引き落とすことができる。
【００１９】
制御装置７に配置された液晶操作部７ｂはタッチパネル型液晶であり、メダル貸出機１の情報等の表示を行うとともに、遊技客が会員カード等ＩＣカードの媒体を挿入した際、暗証番号を入力するため操作するものである。本実施例において、液晶操作部７ｂはタッチパネル型液晶としたが、メダル貸出機１の情報等を表示するのみの表示部としてもよい。
【００２０】
補給パネル９は、遊技店店員がメダル貸出機１へメダルＭを補給する際に開閉するものであり、前記補給パネル９には遊技客が不正に開閉できないように施錠鍵９ａが設けられている。
【００２１】
供給部パネル１１には、所定枚数のメダルＭを隣設する遊技台１０１へ払い出すメダル供給部１５が設けられている。また、該供給部パネル１１は前記補給パネル９と蝶板にてネジ止めされ一体化されており、供給部パネル１１を着脱する際、補給パネル９も着脱することとなる。また、本体枠３の背面下方には、後述する排出シュート９１が設けられている。
【００２２】
メダル供給部１５は、所定枚数のメダルＭを隣設する遊技台１０１の受皿１０１ｂに供給するものであり、供給部パネル１１に取り付けられた供給基部１５ａと、該供給基部１５ａに水平方向に回転可能に支持され、所定位置で固定する供給シュート１５ｂと、から構成される。よって、遊技台１０１のメンテナンス時等に該供給シュート１５ｂを水平方向へ可動させて退避するとともに、遊技台１０１の受皿１０１ｂへ湾曲しながら傾斜して臨むように成形されている。また、前記供給基部１５ａの上端には後述する投入口１７と、投入口蓋１９が設けられている。
【００２３】
図２はメダル貸出機１のメダル供給部１５周辺を示す部分拡大図であり、（ａ）は投入口蓋１９を開いた状態を示す部分拡大斜視図であり、（ｂ）は投入口１７を上方へ回動させた状態を示す部分拡大斜視図である。
メダル供給部１５の供給基部１５ａの上端には、上方向に開口する受皿形状の投入口１７と、前記投入口１７の開口部分を閉塞する投入口蓋１９と、が設けられている。本発明であるメダル貸出機１は、本体枠３の内部下方向に後述するメダル計数装置５１を備えており、遊技客が遊技で獲得したメダルＭを、前記メダル貸出機１の投入口１７へ投入して、獲得枚数を計数することができる。
【００２４】
図２（ａ）に示すように、投入口１７は供給基部１５ａの上端に配置され、遊技客が獲得したメダルＭを投入しやすい様、上方向に大きく開口する受皿形状で、且つ、供給基部１５ａの前面側よりも突出して形成されており、該投入口１７の内部では、投入口１７へ投入されたメダルＭを、メダル貸出機１の内部に備えたメダル計数装置５１の計数導入口６１ａへと案内するように傾斜状に形成し、且つ、連通する構成となっている。
【００２５】
また、投入口１７の開口部分を閉塞している投入口蓋１９は、図１に示すように前記投入口蓋１９の上面に蓋固定片１９ａが形成されており、前記投入口１７に対して上方向に回動可能である。遊技客が獲得したメダルＭを計数する時に該投入口蓋１９を上方へ回動させた際、蓋固定片１９ａが供給部パネル１１に形成された固定溝（図示せず）に嵌合することで該投入口蓋１９の開状態を維持することができる。なお、前記投入口蓋１９は、計数時以外は投入口１７を常時閉塞しているので、計数時以外において、メダル貸出機１の内部に備えたメダル計数装置５１へゴミ、ジュース等の飲料水などの混入を防ぐことができる。
【００２６】
また、メダル貸出機１には、遊技客が投入口１７に投入後、獲得枚数を計数するために押下する計数ボタン３ａが備えられ、投入口蓋１９を開くと該計数ボタン３ａが押下できるように配置されている。遊技客は遊技で獲得したメダルＭを、投入口蓋１９を開けて投入口１７へ投入後、計数ボタン３ａを押下することで、メダル貸出機１の内部に備えたメダル計数装置５１が稼動して獲得枚数を計数することができる。また、上記構成から計数ボタン３ａは投入口蓋１９を開けなければ押下することができないので、遊技客による誤操作を防止することが可能である。
また、投入口蓋１９と同様に、図２（ｂ）に示すように、投入口１７は供給基部１５ａに対して上方向へ回動可能である。
【００２７】
図３、図４を用いて投入口１７の構成、作用を説明する。
図３はメダル貸出機１の投入口１７周辺を示す部分拡大図であり、（ａ）は投入口蓋１９と投入口１７と、を閉じた通常状態を示す部分拡大側面図であり、（ｂ）は投入口蓋１９を開けて、投入口１７を上方向へ回動させて後退した退避状態を示す部分拡大側面図である。また、図４はメダル貸出機１の投入口１７を上方向へ回動させて後退した退避状態を示す作用図である。
図２（ｂ）、及び図３（ａ）、（ｂ）に示すように、投入口１７は、供給基部１５ａに形成された回転軸１５ｃに軸支され、該投入口１７の両側面には係合ピン１７ａと、投入口１７の下端に嵌合片１７ｂが形成されている。一方、供給基部１５ａの投入口１７が嵌り込む内側には、該投入口１７の係合ピン１７ａが係合する複数の係合穴１５ｄと、該投入口１７の嵌合片１７ｂが嵌り合う嵌合穴１５ｅと、が形成されている。
【００２８】
図３（ａ）において、投入口１７、及び投入口蓋１９は閉状態であり、投入口１７が供給基部１５ａの前面側よりも突出している状態（図中矢印方向ａ）である。投入口１７の下端に形成された嵌合片１７ｂは供給基部１５ａに形成された嵌合穴１５ｅに嵌合している状態であり、該投入口１７の閉状態を維持することができる。
【００２９】
図３（ｂ）において、投入口１７、及び投入口蓋１９は開状態であり、該投入口１７が供給基部１５ａの前面側よりも後退した状態（図中矢印方向ｂ）となる。前記投入口１７を供給基部１５ａに対して上方向へ回動させた際、該投入口１７に形成された係合ピン１７ａが、供給基部１５ａに形成された一方の係合穴１５ｄに係合された状態から、もう一方の係合穴１５ｄへ移動して再度係合することで、該投入口１７の上方向へ開状態を維持することできる。
【００３０】
図４に示すように、メダル貸出機１に隣り合う遊技台１０１が、メンテナンス時などで遊技台扉１０１ａを開いた際に、図３（ａ）に示す投入口１７と投入口蓋１９と、を通常状態である閉状態の場合、該メダル貸出機１の投入口１７が供給基部１５ａの前面側よりも突出しているため、該投入口１７の突出部分が遊技台扉１０１ａと衝突して破損してしまう。よって、投入口１７、及び投入口蓋１９を上方向へ回動させて供給基部１５ａの前面側よりも後退させた退避状態（矢印方向ｂ）に可変することで、投入口１７と遊技台扉１０１ａとの衝突を避けることができる。
【００３１】
本実施例において、投入口１７は、メダル供給部１５の上端に設けられているが、該メダル供給部１５と独立した構成であってもよい。また、前記投入口１７は、該投入口１７の突出部分と遊技台扉１０１ａとの衝突を避けるため上方向へ回動可能と示したが、供給基部１５ａの前面側よりも突出しない構造であればよい。例えば、投入口１７が、メダル供給部１５の前面側よりも突出した状態の通常状態から、メダル供給部１５の前面側よりも後退した状態の退避状態への可変を、前後方向にスライド可動により可変可能として、供給基部１５ａからの突出量を調整する構成としてもよい。
【００３２】
次に図５、図６を用いてメダル貸出機１の内部を詳細に説明する。
図５は、メダル貸出機１の内部を示す外観斜視図である。図６は、メダル貸出機１の内部を示す外観斜視図であり、メダル計数装置５１とメダル払出装置３１を取り外した状態を示す図である。
メダル貸出機１の本体枠３の内部上方には、前述した紙幣識別収納装置１３と、制御装置７が備えられている。また、内部下方には、遊技台１０１の受皿１０１ｂへメダルを供給するために該メダルＭを払い出すメダル払出装置３１と、遊技客は遊技で獲得したメダルＭを計数するメダル計数装置５１と、が備えられている。
【００３３】
本体枠３の背面側には補給口３ｂが形成され、該メダル貸出機１の背面側にて接続する補給管２５（図９参照）より流下されるメダルＭをメダル貸出機１の内部へ入れ込み補給する。本体枠３の補給口３ｂ近傍には前記補給管２５より流下するメダルＭをメダル払出装置３１へ案内する案内プレート３ｃが設けられている。なお、メダル払出装置３１の上方の空間を該メダル払出装置３１の貯留部Ｔとして形成し、メダル貸出機１の背面側より接続する補給管２５から流下されるメダルＭや、メダル貸出機１の前面側より補給パネル９を開けて補給されるメダルＭが貯留される。
【００３４】
メダル供給部１５を設けた供給部パネル１１は、補給パネル９と蝶板にてネジ止めされ一体化されており、供給部パネル１１を着脱する際、補給パネル９も着脱することとなる。供給部パネル１１を本体枠３の前面側に設置する際、該本体枠３の前面側下端に形成されたパネル差込片３ｄに該供給部パネル１１の下端部を差し込み、補給パネル９の両側面に形成された補給口壁９ｂを本体枠３に挿入し嵌合することで、設置することができる。
【００３５】
本体枠３の前面側略中央には、計数ボタン３ａと、パネル検知センサ３ｅと、が備えられており、供給部パネル１１を本体枠３に取り付けた際、該供給部パネル１１の計数ボタン３ａの前面側を覆う部分が大きく開口しており、計数ボタン３ａがこの開口部分より前面側へ露出するような構成となっており、遊技客に押下することが可能となる。
【００３６】
また、前記計数ボタン３ａの上方に備えたパネル検知センサ３ｅは、補給パネル９の背面側に形成された検知片（図示せず）を検知するために備えられ、前記パネル検知センサ３ｅの検知によって、補給パネル９、及び供給部パネル１１の着脱を認識できるようになっている。この補給パネル９、及び供給部パネル１１が取り外されると、メダル貸出機１に備えたメダル計数装置５１、等の機器の稼動を停止し、状態表示ランプ５ａ、７ａや、液晶操作部７ｂ、等で発光、点滅、表示等で報知する。補給パネル９、及び供給部パネル１１が取り外した際に、機器の稼動を停止させることで、各機器の交換、修理といったメンテナンスを行えるようになり、また、状態表示ランプ５ａ、７ａや、液晶操作部７ｂ、等で報知することで、遊技店店員以外が不正に取り外した場合に、早期に不正を発見することが可能となる。
【００３７】
図６に示すように、本体枠３の内部下方には払出載置部２１と、計数載置部２３と、が設けられ、前記払出載置部２１にはメダル払出装置３１を、前記計数載置部２３にはメダル計数装置５１を、前後方向へ抜き差しして夫々載置することが可能であり、夫々の装置の故障、交換等のメンテナンスの際は前面側へ引き出すことができる。また、メダル払出装置３１、及びメダル計数装置５１を本体枠３内に前方側より摺動移動して載置する際、前述した夫々の装置に配したコネクタ（払出コネクタ３５ａ、計数コネクタ５７ｇ）と本体枠３に備え夫々の装置に対応したコネクタ２１ａ、２３ａと、を装置の抜き差しのみで接続することができるため、メダル払出装置３１、及びメダル計数装置５１への電源の供給、制御装置７や外部機器等との信号やデータの送受信を容易に行うことができる、
【００３８】
また、払出載置部２１は、その前面側が大きく切りかかれており、後述するメダル計数装置５１のメダル流下シュート６１がメダル払出装置３１の前方を塞ぐように配置されており、メダル払出装置３１は、メダル計数装置５１を引き出して取り外さなければ着脱できない構成となっている。また、該メダル払出装置３１の払出口３７ｂを形成する払出通路３７ａは、前方を塞ぐメダル流下シュート６１の側部を迂回するように前方へ延出する構成となっている。よって、メダル払出装置３１の払出通路３７ａと、メダル計数装置５１のメダル流下シュート６１は本体枠３の内部において夫々横方向に並行して配置される。
【００３９】
図７、図８を用いてメダル払出装置３１を詳細に説明する。
図７はメダル払出装置３１を示す外観斜視図であり、図８はメダル払出装置３１の詳細を示す図であり、（ａ）は平面図、（ｂ）は側面図、（ｃ）は底面図である。
メダル払出装置３１は、箱型形状であり、上方が大きく開口し円板状のメダルＭを多数枚貯留する払出メダルタンク３３と、メダル払出装置３１の土台となる払出ベース部３５と、前記払出メダルタンク３３と前記払出ベース部３５との間に配置される略平面形状の払出基盤３７と、から構成される。払出メダルタンク３３は、上方と同様に下方にも略円状に開口しており、後述する払出基盤３７に設けられた回転ディスク３９に貯留するメダルＭを送り込む構成となっている。また、払出基盤３７の前方側側面には前記回転ディスク３９により投出されたメダルＭを外部へ払い出すための払出通路３７ａが設けられ、貯留されているメダルＭは、一枚ずつ該払出通路３７ａを通過して、該払出通路３７ａの端部に形成した払出口３７ｂより払い出される。また、前記払出ベース部３５には、メダル貸出機１の本体枠３に設置されたコネクタ２１ａと接続する払出コネクタ３５ａが設けられている。
【００４０】
払出基盤３７の両側面には、該払出基盤３７の両側面より窪んだ嵌合凹部３７ｃが複数（実施例では４箇所）形成されている。また、払出メダルタンク３３の下部両側面には払出基盤３７の嵌合凹部３７ｃと嵌合する嵌合凸部３３ａが複数（嵌合凹部３７ｃと同数）形成されている。よって、払出基盤３７の両側面に対し、払出メダルタンク３３の両側面を挟み込む様に互いに嵌め込み、払出メダルタンク３３に形成された嵌合凸部３３ａと、払出基盤３７に形成された嵌合凹部３７ｃと、が互いに嵌り込む様に摺動移動することで嵌合し、嵌合後に前記払出メダルタンク３３と前記払出基盤３７と、をネジ止めして固定する。
【００４１】
図８において、払出基盤３７には、該払出基盤３７の略中央に配置され、略円盤形状で周囲に払出メダルタンク３３に貯留されているメダルＭを取り込むメダル取込穴３９ａを円周上一定間隔に設けられた回転ディスク３９と、前記回転ディスク３９を回転駆動させる駆動モータ３７ｄと、払出基盤３７と払出メダルタンク３３との間に位置し、前記回転ディスク３９の上面周縁部と周囲面を覆うディスクカバー３７ｅと、前記払出基盤３７の下面より突出し、メダル取込穴３９ａに取り込まれたメダルＭを払出通路３７ａへ案内する案内ピン３７ｆと、前記案内ピン３７ｆより案内されたメダルＭを弾く様に払出通路３７ａへ投出する投出レバー３７ｇと、払出通路３７ａに配置し、投出されたメダルＭの通過を検知し払出枚数を計数する計数センサ４１と、から構成される。また、払出基盤３７には、回転ディスク３９の下面に位置する箇所に、埃、ゴミ等の異物を送出メダルタンク３３内から排出する異物排出穴３７ｈが形成されている。
【００４２】
払出メダルタンク３３に貯留されているメダルＭの払出動作を説明する。前記払出メダルタンク３３に貯留されているメダルＭは、駆動モータ３７ｄにより矢印方向ｃに回転駆動する回転ディスク３９のメダル取込穴３９ａに取り込まれ、該回転ディスク３９の回転により払出通路３７ａ側へ移送すると共に、下面より突出した案内ピン３７ｆにメダルＭが当接して払出通路３７ａ側へ案内されつつ、投出レバー３７ｇによって弾く様に一枚ずつ投出され、払出通路３７ａへ通って払出口３７ｂより払い出される。前述する払出動作を回転ディスク３９の回転駆動に応じて連続的に行い、計数センサ４１にてメダルＭの払出枚数を計数することで、払出メダルタンク３３に多数枚貯留されているメダルＭを、払出口３７ｂから所定枚数分外部へ払い出すことが可能である。
【００４３】
払出ベース部３５には、係止片４３ａが形成されたロックレバー４３が設けられ、図６に示すように、メダル貸出機１の本体枠３に設けた払出載置部２１に摺動移動して載置する際、該払出載置部２１の底面側に形成された係止部２１ｂと、ロックレバー４３に形成された係止片４３ａと、が係止され、メダル払出装置３１を本体枠３の内部にネジ止めすることなく固定することができる。
【００４４】
払出通路３７ａは、払出基盤３７の前方側側面の一端側から、該払出通路３７ａの端部に形成した払出口３７ｂを略中央方向へ向けて湾曲した形状であり、メダル払出装置３１を本体枠３に載置した際、該メダル払出装置３１の前方を塞ぐメダル計数装置５１のメダル流下シュート６１の側部を迂回するように前方へ延出する構成となっている。
【００４５】
図９は、メダル貸出機１の内部を示す側面図であり、払い出すメダルＭの経路を示す図である。
遊技客が貨幣類を紙幣挿入口１３ａに挿入した際、或いは、ＩＣカード、ＩＣコイン等の記憶媒体を制御装置７のＩＣカード挿入口７ｄ、ＩＣコイン投入口７ｅに投入した際に、投入した金額、該記憶媒体に記憶されている金額、もしくは、遊技媒体数等のデータに応じて所定枚数のメダルＭを払い出す。
【００４６】
メダル払出装置３１が稼動し、前述した払出動作によって、払出メダルタンク３３内に貯留されているメダルＭが払出口３７ｂより所定枚数払い出される。前記払出口３７ｂは、メダル供給部１５の供給シュート１５ｂとメダル貸出機１の内部にて連通しており、払出口３７ｂより払い出されたメダルＭは供給シュート１５ｂに受け渡され、隣設する遊技台１０１の受皿１０１ｂに移送される。
【００４７】
払出メダルタンク３３の内部に貯留されているメダルＭの貯留量が減少した際に、外部機器であるメダル自動補給システム（図示せず）から、メダル貸出機１の背面側にて接続する補給管２５より洗浄済みのメダルＭが流下され、払出メダルタンク３３の内部に自動補給される。また、メダル自動補給システムに何らかのトラブルが発生して自動補給が行えなくなった場合に、遊技店店員がメダル貸出機１の補給パネル９を開けて前面側よりメダルＭを補給することも可能である。補給パネル９を開けてメダルＭを補給する際、補給口壁９ｂが本体枠３の両側を塞ぐため、メダルＭをメダル貸出機１の外部に溢すことなく補給できる。
【００４８】
メダル払出装置３１の上方向に大きく空間を有して前記メダル払出装置３１の貯留部Ｔとして形成されるため、補給管２５から流下するメダルＭや、補給パネル９を開けて補給されるメダルＭを、メダル貸出機１の内部により多く取り入れることができるので、該メダル払出装置３１は払出メダルタンク３３の貯留量以上のメダルＭをメダル貸出機１の内部に貯留することが可能となる。
【００４９】
次に、図１０、図１１、及び図１２を用いてメダル計数装置５１を詳細に説明する。
図１０、及び図１１は、メダル計数装置５１を示す外観斜視図であり、図１２は、メダル計数装置５１のメダル流下シュート６１と、送出メダルタンク５９を取り外した状態を示す図である。
メダル計数装置５１は、メダル供給部１５の上端に配置された投入口１７に投入されたメダルＭを正規のメダルＭと、該正規のメダルＭの直径とは異なる異径のメダルＭと、に選別し、正規のメダルＭのみ計数を行うメダル選別部５５と、該メダル選別部５５に投入口１７に投入されたメダルＭを一枚ずつ送出するメダル送出部５３と、メダル計数装置５１の土台となる計数ベース部５７と、から構成されている。なお、前記計数ベース部５７の前面側下端部には固定ネジ５７ａが備えられ、メダル貸出機１の本体枠３の計数載置部２３に載置した際、該計数載置部２３に形成された固定穴２３ｂとネジ止めしてメダル貸出機１の内部に配置することができる。（図６参照）なお、本実施例において、異径のメダルＭとは、正規のメダルＭの直径より小さいメダル、コイン、硬貨、円板等、遊技台で獲得したメダルＭ以外の媒体である。
【００５０】
メダル送出部５３には、箱型形状であり、上方が大きく開口し円板状のメダルを多数枚流入可能な送出メダルタンク５９と、上方に延出し上部先端側に計数導入口６１ａを開口するメダル流下シュート６１と、前記送出メダルタンク５９と前記計数ベース部５７との間に配置される略平面形状の送出基盤６３と、から構成される。前記送出メダルタンク５９は、上方と同様に下方にも略円状に開口しており、後述する送出基盤６３に設けられた回転ディスク６５に流入したメダルＭを送り込む構成となっている。
【００５１】
送出基盤６３の両側面には、該送出基盤６３の両側面より窪んだタンク嵌合凹部６３ａが複数（実施例では４箇所）形成されている。また、送出メダルタンク５９の下部両端面には送出基盤６３のタンク嵌合凹部６３ａと嵌合するタンク嵌合凸部５９ａが複数（タンク嵌合凹部６３ａと同数）形成されている。よって、送出基盤６３の両側面に対し、送出メダルタンク５９の両側面を挟み込む様に互いに嵌め込み、送出メダルタンク５９に形成されたタンク嵌合凸部５９ａと、送出基盤６３に形成されたタンク嵌合凹部６３ａと、が互いに嵌り込む様に摺動移動することで嵌合し、嵌合後、前記送出メダルタンク５９と送出基盤６３と、をネジ止めして固定する。
【００５２】
また、送出基盤６３と同様に、送出メダルタンク５９の両側面にはシュート嵌合凹部５９ｂが複数（実施例では４箇所）形成され、且つ、送出メダルタンク５９と同様に、メダル流下シュート６１の下部両端面には送出メダルタンク５９のシュート嵌合凹部５９ｂと嵌合するシュート嵌合凸部６１ｂが複数（シュート嵌合凹部５９ｂと同数）形成されている。また、メダル流下シュート６１には、前面側に弾性部材によって下方向に付勢されたシュート固定レバー６１ｃが設けられている。該シュート固定レバー６１ｃには、下方向に向けて突出するシュート嵌合片６１ｄが形成され、送出メダルタンク５９に形成されたシュート嵌合溝５９ｃに嵌り込む構成となっており、よって、送出メダルタンク５９の両側面に対し、メダル流下シュート６１の両側面を挟み込む様に互いに嵌め込み、メダル流下シュート６１に形成されたシュート嵌合凸部６１ｂと、送出メダルタンク５９に形成されたシュート嵌合凹部５９ｂと、が互いに嵌り込む様に摺動移動することで嵌合し、シュート固定レバー６１ｃのシュート嵌合片６１ｄが、送出メダルタンク５９に形成されたシュート嵌合溝５９ｃに嵌り込むことで、前記メダル流下シュートと送出メダルタンク５９と、をネジ止めすることなく固定することができる。
【００５３】
なお、メダル流下シュート６１は、メダル貸出機１の本体枠３の内部にメダル計数装置５１を載置固定された状態であっても、送出メダルタンク５９から着脱することが可能であり、図５に示すようにメダル計数装置５１が本体枠３の内部に載置固定された状態であっても、シュート固定レバー６１ｃを操作してシュート嵌合片６１ｄとシュート嵌合溝５９ｃと、の嵌合を解いて、該メダル流下シュート６１のみを前面側へ引き出して取り外すことができる。よって、メダル流下シュート６１を取り外した後、該メダル流下シュート６１の後方側に配置されたメダル払出装置３１を着脱することが可能となる。
【００５４】
図１２、及び図１５に示すように、送出基盤６３には、該送出基盤６３の略中央に配置され、略円盤形状で周囲に送出メダルタンク５９に流入されたメダルＭを取り込むメダル取込穴６５ａを円周上一定間隔に設けられた回転ディスク６５と、前記回転ディスク６５を回転駆動させる駆動モータ５７ｂと、前記送出基盤６３の下面より突出し、メダル取込穴６５ａに取り込まれたメダルＭをメダル選別部５５へ案内する案内ピン６３ｂと、前記案内ピン６３ｂより案内されたメダルＭを弾く様にメダル選別部５５へ投出する投出レバー６３ｃと、送出基盤６３と送出メダルタンク５９との間に位置し、前記回転ディスク６５の上面周縁部と周囲面を覆うディスクカバー６３ｄと、投出されたメダルＭの通過を検知する送出口センサ６７と、が設けられている。また、送出基盤６３には、回転ディスク６５の下面に位置する箇所に、埃、ゴミ等の異物や、ジュース等の飲料水、等を送出メダルタンク５９の内部から排出する複数の異物排出穴６３ｅと、送出メダルタンク５９内にパチンコ玉等の遊技玉が混入した際に送出メダルタンク５９の内部から排出させるための玉排出穴６３ｆと、が形成されている。
【００５５】
図１３は、メダル流下シュート６１と送出メダルタンク５９の内部を示すメダル計数装置５１の外観斜視図である。
メダル流下シュート６１は、送出メダルタンク５９の上方向の開口部分を閉塞するよう嵌合され、上方に延出し上部先端側に計数導入口６１ａを開口する。前記計数導入口６１ａは、メダル供給部１５の上端に設けた投入口１７と連通し、遊技客が遊技で獲得したメダルＭを投入口１７に投入すると、該投入口１７から前記計数導入口６１ａへ流下し、さらに、メダル流下シュート６１の内部に設けたメダル案内部材６１ｅによって送出メダルタンク５９内へ流下する構成となっている。
【００５６】
また、計数導入口６１ａの外周部分、及び投入口１７の内部と連通嵌合する箇所には、本体枠３の内部に設置されたメダル払出装置３１や、他の内部機器へ不正を行えないように閉塞する遮蔽枠６１ｆを形成し、図２、及び図５に示すように、投入口蓋１９を開けた際、または、投入口１７を上方向へ回動させた際にも、該遮蔽枠６１ｆによって本体枠３内部への触れることができず、メダル流下シュート６１の背面側に設置されたメダル払出装置３１や、本体枠３の内部機器等に対して不正を行えないようにしている。
【００５７】
図１４は、メダル送出部５３の詳細を示す部分拡大断面図である。図１４（ａ）は、メダル送出部５３の平面から見た部分拡大断面図であり、（ｂ）は、側面から見た部分拡大断面図である。
メダル流下シュート６１の内部に設けたメダル案内部材６１ｅの下端部（送出メダルタンク５９の上面近傍）は、一方向（図中矢印方向ｄ）に向けて湾曲して形成されており、払出基盤６３に設けた回転ディスク６５の回転駆動方向（図中矢印方向ｅ）とは逆方向にメダルＭを流下させる構成としている。
【００５８】
例えば、メダル案内部材６１ｅからの流下方向と、回転ディスク６５の回転駆動方向と、が同方向（メダル案内部材６１ｅからの流下方向が図中矢印方向ｄとは逆方向）の場合、該回転ディスク６５の回転駆動により計数導入口６１ａから流下するメダルＭを送出メダルタンク５９の内部へより多く取り込む作用となり、送出メダルタンク５９の内部が流下したメダルＭで満杯状態となって、回転ディスク６５の回転駆動に負荷が掛かり、メダルＭを連続的にメダル選別部５５へ送出することができず、送出メダルタンク５９内でメダル詰まり等による故障やトラブルの原因となる。
【００５９】
そのため、メダル案内部材６１ｅから流下するメダルＭの流下方向を、回転ディスク６５の回転駆動方向とは逆方向に変えて案内することで、送出メダルタンク５９へ流下するメダルＭをより多く取り込むことなく流下量を抑えることが可能となり、送出メダルタンク５９の内部が満杯状態にならず、回転ディスク６５の回転駆動に負荷を与えることなく、メダルＭを連続的にメダル選別部５５へ送出することが可能となる。よって、該送出メダルタンク５９の内部でメダル詰り等による故障やトラブルの原因を発生することなく、メダル選別部５５へ連続的にメダルＭを送出することが可能となる。
【００６０】
また、送出メダルタンク５９には、メダル案内部材６１ｅの下端近傍に水平状態に延びたコイルバネで構成したメダル残留防止部材５９ｄが設けられている。前記メダル残留防止部材５９ｄは、メダル案内部材６１ｅの下端部を流下するメダルＭが送出メダルタンク５９へ流入落下する箇所に一端側を固定して設けられ、回転ディスク６５の回転に伴って送出メダルタンク５９内のメダルＭが抵抗を受けて、該回転ディスク６５のメダル取込穴６５ａに取り込むように作用するものである。また、メダル残留防止部材５９ｄはコイルバネで構成され、メダル案内部材６１ｅより流入落下するメダルＭによって、前記メダル残留防止部材５９ｄと送出基盤６３と、がメダル取込穴６５ａを介して互いに導通することで回転ディスク６５を駆動させて送出動作を行う構成としている。よって、遊技客は、遊技で獲得したメダルＭを投入口１７に投入しただけで、計数ボタン３ａを押すことなく計数することが可能である。
【００６１】
前述する構成により、遊技客が計数導入口６１ａ近傍までメダルＭを多数枚投入してから計数ボタン３ａを押下する場合に発生する、メダル流下シュート６１の内部でのメダル詰りや、送出メダルタンク５９の内部が満杯状態で発生するメダル詰り等を防止することができる。さらに、メダル残留防止部材６１ｅと送出基盤６３と、が導通しない場合には、投入口１７に投入後、計数ボタン３ａを押下すればよい。
【００６２】
また、ディスクカバー６３ｄの開口部分の円周上等間隔には複数（図中４箇所）の突起６３ｇが形成されており、回転ディスク６５の回転に伴って送出メダルタンク５９内のメダルＭが抵抗を受けて、横に倒れた略水平状態のメダルＭを該回転ディスク６５のメダル取込穴６５ａに取り込むように作用するものである。よって、送出メダルタンク５９内のメダル残留防止部材５９ｄ、及びディスクカバー６３ｄに形成された複数の突起６３ｇによって、該送出メダルタンク５９内に取り込まれた多数枚のメダルＭを一枚も残さずに回転ディスク６５のメダル取込穴６５ａに取り込むことが可能となる。なお、本実施例において、形成された突起６３ｇは４箇所だが、その数は限定しない。また、突起６３ｇは、ディスクカバー６３ｄの開口部分の円周上等間隔に形成されたとしたが、回転ディスクの外周近傍であれば、送出メダルタンクに形成してもよい。
【００６３】
図１５を用いて送出メダルタンク５９に流入されているメダルＭの送出動作を説明する。
図１５は、メダル計数装置５１の平面図を示す図である。
遊技客によって投入されたメダルＭは、メダル流下シュート６１より送出メダルタンク５９に流入落下し、遊技客が計数ボタン３ａを押下する、もしくは、流入するメダルＭによってメダル残留防止部材５９ｄと送出基盤６３が導通することで、回転ディスク６５が回転駆動（図中矢印方向）する。メダルＭは、回転駆動する回転ディスク６５のメダル取込穴６５ａに取り込まれて、該回転ディスク６５の回転によりメダル選別部５５側へ移送されると共に、下面より突出した案内ピン６３ｂにメダルＭが当接してメダル選別部５５へ案内されつつ、投出レバー６３ｃによって、弾くようにメダル選別部５５へ一枚ずつ投出される。前述する送出動作を回転ディスク６５の回転駆動に応じて連続的に行い、メダル選別部５５へ投出する箇所に供えた送出口センサ６７にて投出されたメダルＭの通過を検知する。
【００６４】
メダル送出部５３は、前記送出口センサ６７の検知状態と、回転駆動する回転ディスク６５の回動状態と、を夫々監視することによって、送出メダルタンク５９の内部に流入したメダルＭをすべて送出したことの確認や、送出メダルタンク５９の内部でのメダル詰り等故障やトラブルの発生を早期検出することが可能となる。例えば、送出口センサ６７の検知が無く、回転ディスク６５が回転駆動している場合は、送出メダルタンク５９内のメダルＭを全て送出したことであり、また、送出口センサ６７の検知が無く、回転ディスク６５が回転駆動していない場合は、送出メダルタンク５９の内部でのメダル詰り等故障やトラブルが発生していることである。
【００６５】
次に、メダル選別部５５について説明する。
図１１に示すように、メダル計数装置５１のメダル選別部５５は、メダル送出部５３の後方に配置され、メダル送出部５３より１枚ずつ投出されたメダルＭを搬送するメダル搬送アーム部６９と、前記メダル搬送アーム部６９と前記計数ベース部５７との間に配置される略平面形状の選別基盤７１と、前記メダル搬送アーム部５３より搬送されるメダルＭの枚数を計数する計数センサ７３と、から構成される。本発明によるメダル計数装置５１のメダル選別部５５では、メダル送出部５３より一枚ずつ送出されるメダルＭが計数センサ７３へ向かって搬送される際に、正規のメダルＭと、該正規のメダルＭの直径に比べて小さい異径のメダルＭと、に選別する構成となっている。
【００６６】
メダル搬送アーム部６９は、計数ベース部５７に設けた搬送駆動モータ５７ｃによって回転駆動する駆動プーリ６９ａと、メダル送出部５３側に設けられた従動プーリ６９ｂと、前記駆動プーリ６９ａと、従動プーリ６９ｂと、に掛け渡され、メダル送出部５３より送出されたメダルＭを搬送する搬送ベルト６９ｃと、該搬送ベルト６９ｃに張力を与えるとともに、搬送される異径のメダルＭを後述する落下孔７１ａより下方へ落とし込むキックプーリ６９ｄと、から構成され、前記駆動プーリ６９ａは、同軸で対向して軸止されたモータ従動プーリ６９ｅが搬送駆動モータ５７ｃからの動力を、該搬送駆動モータ５７ｃのモータプーリ５７ｄと掛け渡された駆動ベルト５７ｅによって伝達されて駆動する。
【００６７】
キックプーリ６９ｄは、図１３、図１７に示すようにテンションバネ６９ｆによって下方に付勢されたテンションアーム６９ｇによって支持されており、該キックプーリ６９ｄはテンションアーム６９ｇによって、下方に付勢された状態となり、駆動プーリ６９ａと、従動プーリ６９ｂと、に掛け渡された搬送ベルト６９ｃに張力を与えると共に、搬送される異径のメダルＭを後述する落下孔７１ａより下方へ落とし込む構造となっている。
【００６８】
図１６は、メダル選別部５５の詳細を示す図であり、（ａ）は、メダル選別部５５の部分拡大平面図であり、（ｂ）は（ａ）のＡ−Ａ断面図である。
選別基盤７１には、図１６（ａ）に示すように下方向に大きく開口した落下孔７１ａ（図中網目線部分）が形成されており、搬送ベルト６９ｃによって搬送されたメダルＭが異径のメダルＭである場合に、前記メダル搬送アーム部６９のキックプーリ６９ｄによって下方向へ落とし込む構造となっている。
【００６９】
図１６（ａ）、（ｂ）に示すように、選別基盤７１の上面には、搬送されるメダルＭの搬送姿勢を規制するメダル規制板７１ｂと、該選別基盤７１と該メダル規制板７１ｂとの間に挟まれた状態で配置されたガイドプレート７１ｃと、が設けられている。前記選別基盤７１と、前記メダル規制板７１ｂと、の間に前記ガイドプレート７１ｃを挟み込んで落下孔７１ａの両側面に挟持部７１ｄを形成し、該挟持部７１ｄよって、搬送されるメダルＭの側面両端を挟持しながら、搬送ベルト６９ｃによってメダルＭは水平姿勢で計数センサ７３まで搬送される。また、落下孔７１ａ、及び、挟持部７１ｄの両側端面であるガイドプレート７１ｃは、搬送ベルト６９ｃによる搬送方向（図（ａ）において垂直方向）に対し、傾斜状（図中矢印方向）に形成して、挟持部７１ｄの両側端面であるガイドプレート７１ｃの片側一方を、搬送されるメダルＭの外周縁が常に摺動する基準面として形成している。
【００７０】
図１７は、メダル計数装置５１の側面図を示す図である。
メダル計数装置５１の土台となる計数ベース部５７には、前述したメダル搬送アーム部６９の搬送ベルト６９ｃを駆動する搬送駆動モータ５７ｃと、メダル計数装置５１の制御を行う制御部５７ｆと、メダル貸出機１の本体枠３に設置されたコネクタ２３ａと接続する計数コネクタ５７ｇ（図１１参照）と、メダル計数装置５１の前面側下部に、メダル選別部５５によって異径のメダルＭとして選別されたメダルＭを遊技客へ返却するため返却貯留部Ｈと、が設けられている。返却貯留部Ｈの前面側は開口しており、供給部パネル１１の前面側下部の開口１１ａと連通して、返却口蓋７５ａにて閉塞することで返却口７５を形成する。また、落下孔７１ａの下方には、キックプーリ６９ｄによって落とし込まれた異径のメダルＭを返却貯留部Ｈへ移送する返却樋７７が設けられている。返却樋７７は、異径のメダルＭを返却貯留部Ｈへ垂直姿勢で転動させながら移送するため、図１９に示すように樋形状をＶ字形状に形成され、返却貯留部Ｈへ向かって傾斜状に設けられている。
【００７１】
また、メダル送出部５３と、返却貯留部Ｈと、の間には異物カバー５７ｈが設けられ、送出基盤６３に形成された異物排出穴６３ｅ、及び玉排出穴６３ｆより排出された埃、ゴミ等の異物を該異物カバー５７ｈにて受け取ると共に、送出メダルタンク５９の内部にジュース等の飲料水が混入した際、該飲料水が異物排出穴６３ｅより排出されても、計数ベース部５７に設けた制御部５７ｆに掛からないようにするためのものである。また、玉排出穴６３ｆより排出された遊技玉は、該異物カバー５７ｈで一旦受け取った後、返却貯留部Ｈに転動落下して排出する構造となっている。なお、メダル選別部５５のメダル搬送アーム部６９は、駆動プーリ６９ａを軸止する軸を中心に開閉可能（図中矢印方向）であり、搬送中のメダルＭが詰まるトラブルや、搬送ベルト６９ｃ等のメンテナンス、等の際に開閉することが可能である。
【００７２】
次に、図１８を用いてメダル選別構造を詳細に説明する
図１８は、メダル計数装置５１のメダル選別構造を示す図であり、（ａ）は正規のメダルＭが搬送される際のメダル選別部５５の部分拡大平面図を示す図であり、（ｂ）は（ａ）のＢ−Ｂ断面図であり、（ｃ）は異径のメダルＭが搬送される際のメダル選別部５５の部分拡大平面図を示す図であり、（ｄ）は（ｃ）のＣ−Ｃ断面図である。
メダル送出部５３より送出されるメダルＭは、該メダル送出部５３の投出レバー６３ｃによって弾くように一枚ずつメダル選別部５５へ投出される。図１５に示すように、投出されたメダルＭはメダル搬送アーム部６９の従動プーリ６９ｂ側の搬送ベルト６９ｃに受け渡されると共に、メダルＭの側面両端が挟持部７１ｄに入り込み、該挟持部７１ｄによってメダルＭは水平姿勢に規制されながら、搬送ベルト６９ｃによって計数センサ７３まで搬送される。搬送ベルト６９ｃによって搬送されるメダルＭは、該メダルＭの外周縁が片側一方のガイドプレート７１ｃの端面である基準面Ｋに常に摺動する状態で搬送ベルト６９ｃの搬送方向に対し傾斜して搬送される。
【００７３】
搬送されるメダルＭは、キックプーリ６９ｄによってメダルＭの直径が正規の大きさであれば計数センサ７３へそのまま搬送し、異径の大きさであれば落下孔７１ａより下方の返却樋７７へ落とし込んで返却貯留部Ｈへ移送するよう選別される。図（ａ）、及び（ｂ）に示すように、搬送されるメダルＭの直径が基準面Ｋよりβ以上α以下であれば、メダルＭの側面両端が挟持部７１ｄにて挟持されているため、下方向に付勢されているキックプーリ６９ｄで落下孔７１ａから下方の返却樋７７に落とし込むことができず、正規のメダルＭとして計数センサ７３へ向かってそのまま搬送される、
【００７４】
また、図（ｃ）、及び（ｄ）に示すように、搬送されるメダルＭの直径がβより小さければ、該メダルは基準面Ｋと反対側の挟持部７１ｄの挟持が解かれ、異径のメダルＭとしてキックプーリ６９ｄで落下孔７１ａから下方の返却樋７７へ落とし込む。水平姿勢で搬送されるメダルＭの外周縁が、搬送ベルト６９ｃによる搬送方向に対して傾斜状に形成された基準面Ｋに常に摺動させた状態で搬送するため、メダルＭの直径を計る基準を明確にすることが可能であり、より正確な選別が可能である。
【００７５】
また、キックプーリ６９ｄは、基準面Ｋと反対側の挟持部７１ｄ側（図中左方向）に配置され、メダルＭの側面片側の位置から下方へ押し込むことで、挟持部７１ｄの挟持が解かれた異径のメダルＭを落とし込みやすくすると共に、後述する返却樋７７へ、水平姿勢で搬送されるメダルＭを垂直姿勢に変換して落下させるようにしている。
【００７６】
図１９は返却樋７７の詳細を示す図であり。（ａ）は返却樋７７の側面図であり、（ｂ）は（ａ）のＤ−Ｄ断面図を示す図である。
図１７に示すように、計数ベース部５７に設けられ、落下孔７１ａの下方に配置された返却樋７７は、該計数ベース部５７の返却貯留部Ｈへ向かって傾斜状に設けられており、垂直姿勢で落下したメダルＭは返却貯留部Ｈへ向かって垂直姿勢のまま転動して移送する。また、図１９（ｂ）、に示すように、返却樋７７のメダルＭが転動する内側に向かって凸形状をなす樋凸部７７ａが形成されており、返却樋７７の内側の面と、転動するメダルＭの側面と、の面接触を極力減らすことでメダルＭが抵抗無く転動しやすくなり、返却樋７７内でのメダルＭが留まることなく返却貯留部Ｈへ移送することが可能となる。
【００７７】
図２０は、メダル貸出機１の内部を示す側面図であり、計数するメダルＭの経路を示す図である。
遊技客は遊技によって獲得したメダルＭを、メダル供給部１５の上端に配置された投入口１７に、投入口蓋１９を開いて投入することで、メダル貸出機１の本体枠３に備えたメダル計数装置５１で獲得枚数を計数することができる。該投入口１７の内部は、メダル流下シュート６１の計数導入口６１ａと連通するとともに、投入口１７へ投入されたメダルＭを該計数導入口６１ａに案内するように傾斜状に形成しているため、投入された多数枚のメダルＭは、メダル流下シュート６１からメダル送出部５３の送出メダルタンク５９の内部へ流下する。メダルＭを投入後、遊技客が計数ボタン３ａを押下するか、もしくは、流下したメダルＭによって送出メダルタンク５９に設けたメダル残留防止部材５９ｄと送出基盤６３と、がメダル取込穴６５ａを介して互いに導通することで回転ディスク６５を回転駆動し、メダル選別部５５へメダルＭを一枚ずつ送出する。投出されたメダルＭの通過を検知する送出口センサ６７によって、該送出口センサ６７の検知が無く、回転ディスク６５が回転駆動している場合は、送出メダルタンク５９内のメダルＭを全て送出したとし、送出動作を停止する。
【００７８】
メダル送出部５３より送出されたメダルＭは、メダル選別部５５にてメダルＭの直径から正規のメダルＭか、異径のメダルＭか、に選別され、正規のメダルＭであれば計数センサ７３まで搬送されて、該計数センサ７３にてメダルＭの通過を検知する。検知された信号は、メダル計数装置５１の制御部５７ｆから計数コネクタ５７ｇへ、該計数コネクタ５７ｇと接続する本体枠３のコネクタ２３ａからメダル貸出機１の制御装置７、又は外部機器へと送信され、獲得枚数を表示する。
【００７９】
また、計数センサ７３を通過したメダルＭは、メダル計数装置５１の背面側から排出シュート９１の内部へ勢いよく排出され、該排出シュート９１に備えた排出管９７より遊技島に備えたメダル回収レール（図示せず）へ排出する。獲得枚数データは、遊技客が遊技を終了する際、ＩＣコイン、もしくはＩＣカード等記憶媒体に前記獲得枚数データを保存してＩＣコイン返却口７ｆ、もしくはＩＣカード挿入口７ｄより遊技客に返却する。また、メダル選別部５５にて異径と選別されたメダルＭは、キックプーリ６９ｄによって落下孔７１ａから下方の返却樋７７に落とし込まれ、該返却樋７７に落下したメダルＭは返却樋７７を垂直姿勢で転動して返却貯留部Ｈへ移送され、遊技客に返却する。
【００８０】
なお、送出口センサ６７では、投出されたメダルＭの通過を検知している状態であって、計数センサ７３では検知が無い状態が長時間続く場合には、該計数センサ７３の故障、もしくは、異径のメダルＭを多数枚投入されるといった不正、悪戯、などを検出することが可能である。
【００８１】
図９、及び図２０に示すように、本発明によるメダル貸出機１は、メダル払出装置３１と、メダル計数装置５１と、が夫々別体であり、遊技客へ払い出すメダルＭの経路と、遊技客が遊技で使用、獲得したメダルＭを投入して計数するメダルＭの経路と、が夫々独立した経路で構成されている。払い出すメダルＭと、計数するメダルＭと、がメダル貸出機１の内部で混在させず、且つ、計数したメダルＭを、払い出すメダルＭとして循環使用せずに遊技島に設置されたメダル回収レールへ排出する。よって、遊技客に払い出されるメダルＭはメダル自動補給システムから補給された洗浄済みのメダルＭであるため、遊技客は払い出されたメダルＭによって手を汚すことなく、またメダル払出装置３１等の内部機器に汚れ、ゴミ等の付着することがなく故障、トラブル等の問題が生じることはない。
【００８２】
メダル計数装置５１の上方に配置されたメダル払出装置３１の払出口３７ｂは、図９に示すように、メダル供給部１５の供給シュート１５ｂとメダル貸出機１の内部にて連通して払出連通経路を形成し下方向へ払い出し、メダル貸出機１に内部下方に配置されるメダル計数装置５１のメダル流下シュート６１は、図２０に示すように、上方向に延出し上部先端側に形成した計数導入口６１ａがメダル供給部１５に上端に設けた投入口１７と連通して計数連通経路を形成する。
【００８３】
払出載置部２１を、メダル貸出機１の内部に載置したメダル計数装置５１のメダル選別部５５近傍まで下げ、その位置でメダル払出装置３１を載置し、払出載置部２１の大きく切りかかれた前面側からメダル流下シュート６１を該メダル払出装置３１の前方を塞ぐように延出して配置されており、該メダル払出装置３１の払出口３７ｂを形成する払出通路３７ａは、前方を塞ぐメダル流下シュート６１の側部を迂回するように湾曲して前方へ延出する構成となっているので、メダル払出装置３１の払出通路３７ａと、メダル計数装置５１のメダル流下シュート６１は本体枠３において夫々横方向に並行して配置する。
【００８４】
よって、払出口３７ｂと供給シュート１５ｂの払出連通経路と、計数導入口６１ａと投入口１７の計数連通経路が、メダル貸出機１の内部で夫々上下交差するよう形成している。前記払出連通経路、及び前記計数連通経路と、を夫々上下交差することで、メダル計数装置５１の上方に配置されたメダル払出装置３１から払い出したメダルＭを供給シュート１５ｂから遊技台１０１の下方に位置する受皿１０１ｂへ流下するよう払い出すことが可能となる。また、投入口１７をメダル供給部１５に上端に設けられるので、該投入口１７を遊技客にとってはメダルＭを投入しやすい位置に配置することが可能となる。
【００８５】
また、払出載置部２１の本体枠３内での位置をメダル計数装置５１のメダル選別部５５近傍まで下方向に下げたことで、メダル払出装置３１の上方向に大きく空間を有した貯留部Ｔを形成することができ、補給管２５から流下するメダルＭや、補給パネル９を開けて補給されるメダルＭを、メダル貸出機１の内部により多く取り入れて貯留することが可能となる。
【００８６】
図２１、２２を用いて排出シュート９１について説明する。
図２１は、メダル貸出機１の排出シュート９１周辺の部分拡大断面図を示す図であり、図２２は、メダル貸出機１の排出シュート９１の構成を示す分解斜視図を示す図である。
排出シュート９１は、メダル貸出機１の本体枠３の外部背面側の下方に設置するものであり、メダル計数装置５１の計数センサ７３を通過し一枚ずつ排出された正規のメダルＭを、前記排出シュート９１の内部に受け入れて遊技島内部に設置されたメダル回収レール（図示せず）へ案内するものである。
【００８７】
図２１、図２２に示すように、前記排出シュート９１は、下方向に開口する筒状であり、上方側部にメダル貸出機１の背面に開口し、メダル計数装置５１からのメダルＭが排出されるメダル排出口３ｆと連通する排出受入口９１ａと、ウレタン樹脂、ゴム材等で形成されたメダル規制部材９３と、メダル回収レールからのメダルＭの詰りを検出する排出口センサ９５と、メダル貸出機１の背面に開口するセンサ取付口３ｇと連通するセンサ受入口９１ｂと、から構成されている。また、前記排出シュート９１の下方向の開口部分には、メダル回収レールと接続する排出管９７が取付可能な構造となっている。
【００８８】
前記排出シュート９１を、メダル貸出機１の本体枠３の底面側ではなく、本体枠３の外部背面側に設置されているので、該メダル貸出機１を遊技島に設置する際、遊技島のメダル貸出機１を載置する箇所の底面に、計数後に排出するメダルＭの排出穴を開けたり、他の排出備品を取り付けたり、といった遊技島に加工を行う必要が無く、該メダル貸出機１を容易に設置することが可能となる。
【００８９】
前記メダル規制部材９３は、ウレタン樹脂、ゴム材等で形成され、該排出シュート９１内に形成した溝９１ｃに沿って湾曲状に配置しており、メダル計数装置５１より勢いよく排出されたメダルＭが、該メダル規制部材９３と当接して減勢するとともに、水平姿勢で排出されたメダルＭを垂直姿勢に変換させて排出管９７へ落下させる。前記メダル規制部材９３によって、勢いよく排出されたメダルＭが前記排出シュート９１の内部に直接当接することによる破損を防止する。
【００９０】
排出口センサ９５は、本発明において透過型センサを用いており、発光部及び受光部を夫々備え、排出シュート９１の下方向開口部分である排出管９７の近傍に配置されている。前記排出口センサ９５が、メダル回収レールと接続する排出管９７の内部でメダルＭの詰りが発生し、排出シュート９１の内部まで詰り上がってきたメダルＭによって該排出口センサ９５を常時遮った状態を検知することで、前記排出管９７にメダルＭを排出しないようにメダル計数装置５１の稼動を停止してトラブルを未然に防ぐことが可能である。
【００９１】
また、メダル規制部材９３によってメダル計数装置５１から水平姿勢で排出されたメダルＭが、垂直姿勢に変換されて排出管９７へ落下するので、該排出管９７近傍に配置された排出口センサ９５は落下するメダルＭの側面で検知することができる。該排出口センサ９５は、垂直姿勢で落下するメダルＭの側面で検知を行うことで、水平姿勢で落下するメダルＭの外周縁に比べて、メダルＭの側面の方が検知する面が広いため、排出口センサ９５によって容易に検知することが可能で、且つ、一枚ずつ検知することが可能となる。
【００９２】
前述するように検知を行うことで、例えば、計数センサ７３ではメダルＭの検知が無い状態で排出口センサ９５では一枚ずつ検知している状態、もしくは、計数センサ７３では検知が無い状態で送出口センサ６７と、排出口センサ９５と、の両センサでは一枚ずつ検知している状態、であれば、該計数センサ７３の故障を検出することも可能である。なお、排出口センサ９５は、前述と同様の作用が得られれば透過型センサに限定しない。
【００９３】
図２２に示すように、メダル規制部材９３と、排出口センサ９５と、は前記排出シュート９１をメダル貸出機１の外部背面に外側から設置した状態で、夫々メダル貸出機１の本体枠３の内部から該排出シュート９１の内部へ取り付けを行うことが可能である。排出シュート９１をメダル貸出機１の本体枠３の外部下方背面側に設置後、該メダル規制部材９３を規制部材取付板９３ａに固定して、該本体枠３の内部から本体枠３の背面に開口するメダル排出口３ｆを介して排出シュート９１の内部に挿入して、該排出シュート９１内に形成した溝９１ｃに沿って湾曲状に取り付ける。また、排出口センサ９５は、発光部と受光部を夫々センサ取付台９５ａに固定し、該本体枠３の内部から本体枠３の背面に開口するセンサ取付口３ｇを介して排出シュート９１の内部に取り付ける。
【００９４】
メダル規制部材９３と、排出口センサ９５と、は本体枠３に配置されているメダル計数装置５１を前面側へ引き出して、該本体枠３の内部から排出シュート９１の内部へ夫々着脱可能とすることで、前記メダル規制部材９３、及び前記排出口センサ９５の故障、メンテナンスなどから生じる交換作業において、メダル貸出機１を遊技島より取り外すことなく、容易、且つ、迅速に交換作業を行うことができる。
【００９５】
本実施例におけるメダル計数装置５１において、該メダル計数装置５１のメダル選別部５５は、正規のメダルＭと、該正規のメダルＭの直径に比べて小さい異径のメダルＭと、に選別する構成としたが、遊技客より投入された媒体が、正規のメダルＭの直径に比べて大きい異径のメダルや、メダル以外の媒体であった場合は、メダル送出部５３の送出メダルタンク５９内で回転ディスク６５のメダル取込穴６５ａに取り込まれず、メダル選別部５５へ移送されないで該送出メダルタンク５９内に残ることとなる。結果、正規のメダルＭの直径に比べて大きい異径のメダルや、メダル以外の媒体を、計数センサ７３を備えたメダル選別部５５へ送出させないので、不正に計数されることはない。また、前述する異径のメダルや、メダル以外の媒体が送出メダルタンク５９の内部に残った状態を検知し、状態表示ランプ５ａ、７ａや、液晶操作部７ｂ、等で報知して、早期に不正を発見することも可能である。
【００９６】
本実施例におけるメダル貸出機１において、前記メダル貸出機１の本体枠３の内部上方に紙幣識別収納装置１３を備え、前記紙幣識別収納装置１３の紙幣挿入口１３ａに遊技客より挿入される貨幣の真偽を識別して貨幣が正規と判断された場合に、メダル払出装置３１より所定枚数のメダルＭを遊技台１０１の受皿１０１ｂに払い出すとともに、挿入された正規の貨幣を装置内部へ収納するものとしたが、紙幣識別収納装置１３をメダル貸出機１の内部に備えず、該メダル貸出機１と別体で構成し、外部機器として通信接続してもよい。また、別体の外部機器とした紙幣識別収納装置は、収納機能を持たない紙幣識別装置でもよく、該紙幣識別装置に挿入された紙幣を、遊技島に備える紙幣搬送装置によって遊技島端まで搬送する構成としても良い。
【符号の説明】
【００９７】
１      メダル貸出機
３      本体枠
５      上部パネル
７      制御装置
９      補給パネル
１１    供給部パネル
１３    紙幣識別収納装置
１５    メダル供給部
１５ａ  供給基部
１５ｂ  供給シュート
１５ｃ  回転軸
１５ｄ  係合穴
１５ｅ  嵌合穴
１７    投入口
１９    投入口蓋
２１    払出載置部
２３    計数載置部
２５    補給管
３１    メダル払出装置
３３    払出メダルタンク
３５    払出ベース部
３７    払出基盤
３７ａ  払出通路
３７ｂ  払出口
３９    回転ディスク
４１    計数センサ
５１    メダル計数装置
５３    メダル送出部
５５    メダル選別部
５７    計数ベース部
５９    送出メダルタンク
５９ｄ  メダル残留防止部材
６１    メダル流下シュート
６１ａ  計数導入口
６１ｅ  メダル案内部材
６１ｆ  遮蔽枠
６３    送出基盤
６３ｄ  ディスクカバー
６３ｇ  突起
６５    回転ディスク
６７    送出口センサ
６９    メダル搬送アーム部
６９ａ  駆動プーリ
６９ｂ  従動プーリ
６９ｃ  搬送ベルト
６９ｄ  キックプーリ
６９ｅ  モータ従動プーリ
７１    メダル選別基盤
７１ａ  落下孔
７１ｂ  メダル規制板
７１ｃ  ガイドプレート
７１ｄ  挟持部
７３    計数センサ
７５    返却口
７５ａ  返却口蓋
７７    返却樋
７７ａ  樋凸部
９１    排出シュート
９１ａ  排出受入口
９１ｂ  センサ受入口
９１ｃ  溝
９３    メダル規制部材
９３ａ  規制部材取付板
９５    排出口センサ
９５ａ  センサ取付台
９７    排出管
Ｍ      メダル
Ｔ      貯留部
Ｈ      返却貯留部
Ｋ      基準面
【図１】
2014188003.tif 000003
【図２】
2014188003.tif 000004
【図３】
2014188003.tif 000005
【図４】
2014188003.tif 000006
【図５】
2014188003.tif 000007
【図６】
2014188003.tif 000008
【図７】
2014188003.tif 000009
【図８】
2014188003.tif 000010
【図９】
2014188003.tif 000011
【図１０】
2014188003.tif 000012
【図１１】
2014188003.tif 000013
【図１２】
2014188003.tif 000014
【図１３】
2014188003.tif 000015
【図１４】
2014188003.tif 000016
【図１５】
2014188003.tif 000017
【図１６】
2014188003.tif 000018
【図１７】
2014188003.tif 000019
【図１８】
2014188003.tif 000020
【図１９】
2014188003.tif 000021
【図２０】
2014188003.tif 000022
【図２１】
2014188003.tif 000023
【図２２】
2014188003.tif 000024